(57)【要約】【課題】  ＤＶＤ、ＨＤＤなどの記録再生装置や、これらと表示装置との複合機において、装置デザインの自由度を向上させ、ノイズや不要輻射の相互干渉を防止することが出来る操作用基板を備えた記録再生装置を提供する。【解決手段】  操作用基板はそこに実装する機能部品ごとに、リモコン受光部と電源スイッチ用基板３０、操作用スイッチ基板３１、および表示管用基板３２に分割し、それぞれの部品の大きさに対応するようにフロントキャビネット１６内に相互に段差状に配置して収納する。また、ＤＶＤ記録再生装置１０の筐体シャーシ１１前面に該筐体シャーシ１１の一部を延設して立設したシールド壁１１ａを一体形成し、前記各操作用基板３０、３１、３２を前記フロントキャビネット１６と該シールド壁１１ａで挟み込むように配置してノイズや不要輻射の相互干渉を防止する。【選択図】      図１
2006237533.tif 000002
【特許請求の範囲】
【請求項１】
フロントキャビネットの前面に複数配置した操作ボタンの機能及び情報入出力機能に対応した各種部品の実装される操作用基板を、前記フロントキャビネット内に収容する操作用基板を備えた記録再生装置において、前記操作ボタンの機能及び情報入出力機能ごとに前記操作用基板を分割して配置し、前記フロントキャビネットの内側に分割配置した各操作用基板を、前記部品の大きさに対応させ、平行且つ相互に段差状に配置したことを特徴とする操作用基板を備えた記録再生装置。
【請求項２】
前記記録再生装置は、前記フロントキャビネットとリアキャビネットからなる筐体を備え、前記フロントキャビネットと前記リアキャビネットとを間仕切りするシールド壁を設けたことを特徴とする請求項１記載の操作用基板を備えた記録再生装置。
【請求項３】
前記記録再生装置に映像を表示する表示部を備えたことを特徴とする請求項１又は２記載の操作用基板を備えた記録再生装置。
【請求項４】
前記各操作用基板をコネクタケーブルで電気的に接続可能に構成したことを特徴とする請求項１から３の何れか１項記載の操作用基板を備えた記録再生装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）、ＨＤＤ（Ｈａｒｄ  Ｄｉｓｋ  Ｄｒｉｖｅ）、ＤＶＤ−ＶＩＤＥＯ対応のＤＶＤなどの記録再生装置やこれらと表示装置との複合機の操作用基板設置方法に関する。
【背景技術】
【０００２】
従来から、携帯情報端末に用いられる電子機器の意匠ケースに段差状に形成されたキー操作面部にキーを段差状に配置する方法として特許文献１には「キー操作機構」などがあり、この従来技術によれば、意匠ケースの高位操作面部と低位操作面部にそれぞれキーを実装し、それぞれのキーに対応するスイッチが実装されたプリント基板を意匠ケース内に収納し、高位操作面部とプリント基板との間にスペーサを設け、このスペーサ内にキー操作伝達手段となる連動押圧子を設ける方法が提案されている。
【０００３】
【特許文献１】特開２００１−６４８３号公報
【発明の開示】
【発明が解決しようとする課題】
【０００４】
前述の従来技術において、例えば特許文献１においては、意匠ケースの高位操作面部と低位操作面部とでキー操作方向に段差があっても、１枚のプリント基板上に段差状に形成されたキー操作面部にキーを段差状に配置することが可能なことから、高位操作面部と低位操作面部のそれぞれにプリント基板を配置することによる組立工数を抑え、軽量化が可能でコストを抑えた装置を実現可能な方法であるが、段差状にキーを配置することによりキー操作面部とプリント基板との間に生ずる隙間にはスペーサや連動押圧子を設けるなどと押圧機構が複雑な構成になっている。また、液晶表示部と、操作用スイッチの配置を１枚のプリント基板で対応しているので、プリント基板の面積が大きくなり、フロントキャビネットの前面と平行に縦型に配置される場合は、装置の厚さ方向に対してプリント基板が高くなってしまうことから、薄型装置の実現は困難と言わざるを得ない。また、意匠ケースの高位操作面部と低位操作面部形状や、ここに配置されるスペーサ、連動押圧子、及び液晶表示部を収納する液晶ホルダなどによる配置制約などから、液晶表示部や操作用スイッチが配置される位置の移動が困難なため、装置のデザインの自由度が少なくなってしまうといったことが懸念される。また、こうした１枚のプリント基板にノイズが発生し易い表示管やリモコン受光部などを配置すると、これらの周囲に配置され、比較的ノイズ干渉の影響を受け易い電源回路部やＧＮＤ回路に対してノイズ対策が別途必要となるといった問題がある。本発明は従来技術における表示管やリモコン受光部、操作用スイッチといった部品を実装する操作用基板の設置方法における問題点や懸念材料を改善して、操作用基板内のノイズ干渉を防止し、併せて操作用基板と記録再生装置間におけるノイズや不要輻射の相互干渉を防止することが出来る操作用基板を備えた記録再生装置を得るものである。
【課題を解決するための手段】
【０００５】
請求項１の操作用基板を備えた記録再生装置は、フロントキャビネットの前面に複数配置した操作ボタンの機能及び情報入出力機能に対応した各種部品の実装される操作用基板を、前記フロントキャビネット内に収容する操作用基板を備えた記録再生装置において、前記操作ボタンの機能及び情報入出力機能ごとに前記操作用基板を分割して配置し、前記フロントキャビネットの内側に分割配置した各操作用基板を、前記部品の大きさに対応させ、平行且つ相互に段差状に配置したことを特徴とする。
【０００６】
請求項１の構成によれば、この記録再生装置は、フロントキャビネットの前面に複数配置した操作ボタンの機能及び情報入出力機能に対応した各種部品の実装される操作用基板が、前記フロントキャビネット内に収容される。この操作用基板は操作ボタンの機能及び情報入出力機能ごとに分割されてフロントキャビネットの内側に配置される。さらに、分割された各操作用基板は操作ボタンの機能及び情報入出力機能に対応した各種部品の大きさに対応させ、平行且つ相互に段差状に配置される。
【０００７】
請求項２の操作用基板を備えた記録再生装置は、請求項１記載の操作用基板を備えた記録再生装置において、前記記録再生装置は、前記フロントキャビネットとリアキャビネットからなる筐体を備え、前記フロントキャビネットと前記リアキャビネットとを間仕切りするシールド壁を設けたことを特徴とする。
【０００８】
請求項２の構成によれば、この記録再生装置は、前記フロントキャビネットとリアキャビネットからなる筐体を備えており、前記フロントキャビネットと前記リアキャビネットとを間仕切りするシールド壁が設けられるので、分割された前記各操作用基板はフロントキャビネットの前面と該シールド壁によって挟み込まれるように配置される。
【０００９】
請求項３の操作用基板を備えた記録再生装置は、請求項１又は２記載の操作用基板を備えた記録再生装置において、前記記録再生装置に映像を表示する表示部を備えたことを特徴とする。
【００１０】
請求項３の構成によれば、記録再生装置に映像を表示する表示部が備えられたことにより記録媒体に記録された録画ファイルの再生映像が該表示部に表示される。
【００１１】
請求項４の操作用基板を備えた記録再生装置は、請求項１から３の何れか１項記載の操作用基板を備えた記録再生装置において、前記各操作用基板をコネクタケーブルで電気的に接続可能に構成したことを特徴とする。
【００１２】
請求項４の構成によれば、前記各操作用基板は、コネクタケーブルにより電気的に接続することが可能となる。
【発明の効果】
【００１３】
請求項１の発明によれば、記録再生装置のフロントキャビネットの内側に、操作ボタンの機能及び情報入出力機能ごとに分割されて配置される各操作用基板は、そこに実装される各種部品の大きさが異なることにより、これらの部品の大きさに対応させて、平行且つ相互に段差状に配置することが出来るので、これらの部品と各操作用基板との間には不要な隙間が生ずることもなく、且つフロントキャビネットの前面に複数配置される操作ボタンの機能及び情報入出力機能に対応した各種部品は、フロントキャビネットの前面の所定位置に対応して各操作用基板に実装することが出来る。これにより、従来のように、これら大きさの異なる部品をフロントキャビネットの前面に揃えて１枚の操作用基板に実装するには、一番大きな部品に合わせて操作用基板を後退配置し、小さな部品は操作用基板との間に隙間が生じてしまうこととなり、こうした時は隙間に応じたスペーサを設けて調整するとか、隙間部が操作スイッチ部であればこの隙間にキー操作力伝達手段となる連動押圧子を設けるなどにより、スイッチの押圧機構が複雑な構成になってしまうといった問題は解消することが出来る。また、意匠ケースの高位操作面部と低位操作面部の段差形状や、ここに配置されるスペーサ、連動押圧子、及び液晶表示部を収納する液晶ホルダなどによる配置制約などから、液晶表示部や操作用スイッチが配置される位置の移動が困難となるといった構造設計上の問題も大幅に軽減することが出来る。同様にこれらの配置制約を軽減することが出来るので装置デザインの自由度も確保することが出来る。
【００１４】
請求項２の発明によれば、この記録再生装置は、前記フロントキャビネットとリアキャビネットからなる筐体を備えており、前記フロントキャビネットと前記リアキャビネットとを間仕切りするシールド壁が設けられるので、分割された前記各操作用基板はフロントキャビネットの前面と該シールド壁によって挟み込まれるように配置されることにより、各操作用基板に実装される部品によって生ずる各操作用基板間のノイズ干渉を防止することが可能となると共に、記録再生装置内に配置されるメイン回路基板や記録再生ユニット部と隔離されることにより、各操作用基板と記録再生装置内のメイン回路基板や記録再生ユニット部とのノイズや不要輻射の相互干渉を防止することが出来る。
【００１５】
請求項３の発明によれば、記録再生装置に映像を表示する表示部が備えられたことにより、記録媒体に記録された録画ファイルが再生されて該表示部に表示される再生映像を視聴することが出来るので、視聴者にとって利便性を向上させることが出来る。
【００１６】
請求項４の発明によれば、前記各操作用基板は、コネクタケーブルにより電気的に接続することが可能となるので、各操作基板は互いにコネクタケーブルによって電気的に接続されると共に、代表する何れかの操作用基板と記録再生装置のメイン回路基板とは少なくとも１個のコネクタケーブルによって電気的に接続することが可能となる。
【発明を実施するための最良の形態】
【００１７】
以上のように、本発明は、前面に配置されるフロントキャビネットに操作用基板が収納配置されるＤＶＤやＨＤＤなどの記録再生装置において、装置デザインの自由度を向上させ、ノイズや不要輻射の相互干渉を防止するものであるが、以下の実施例の説明において、実施例１はＤＶＤ記録再生装置であり、実施例２はＤＶＤユニットを内蔵したテレビである。これらにより本発明の詳細について説明する。
【００１８】
以下、本発明を実施するための最良の形態としての実施例を図１〜図６により以下に説明する。もちろん、本発明は、その発明の趣旨に反さない範囲で、実施例において説明した以外のものに対しても容易に適用可能なことは説明を要するまでもない。
【実施例１】
【００１９】
図１は本発明における実施例１を示すＤＶＤ記録再生装置のフロントキャビネットに分割された各操作用基板が収納配置された状態を示す背面図であり、図２はフロントキャビネットに表示管用基板が収納配置された状態を示すａ−ａ断面図である。図３はフロントキャビネットに操作用スイッチ基板が収納配置された状態を示すｂ−ｂ断面図であり、図４はフロントキャビネットにリモコン受光部と電源スイッチ用基板が収納配置された状態を示すｃ−ｃ断面図である。図５はＤＶＤ記録再生装置の概略構成を示す斜視図である。
【００２０】
図５により、ＤＶＤ記録再生装置の概略構成について説明する。図５はＤＶＤ記録再生装置１０を組み立て途中にあり、このＤＶＤ記録再生装置１０の外観は筐体シャーシ１１と筐体カバー１２によるリアキャビネット、及びフロントキャビネット１６で構成されていることを示している。また、前記筐体シャーシ１１にはＤＶＤ記録再生装置１０を構成する３つの機能ブロックが横方向に分割配置されている。その概ね中央には記録媒体であるＤＶＤディスク５０を装置内に搬送するディスクトレイ１３ａを備えたＤＶＤユニット１３が配置され、その左方側にはこのＤＶＤ記録再生装置１０のメイン回路基板を構成するアナログ系回路基板１４が配置され、ＤＶＤユニット１３の右方側には同様にメイン回路基板を構成するデジタル系回路基板１５が配置されている。このアナログ系回路基板１４には、ＤＶＤ記録再生装置１０に電力を供給する図示しない電源回路や、受信電波をチューナで処理した映像音声信号をモニタなどの表示装置に表示可能に処理する映像音声処理回路などが配置されている。また、前記デジタル系回路基板１５には前記映像音声信号を記録媒体であるＤＶＤディスク５０に記録し再生するための符号化と複合化処理回路、及びアナログ信号をデジタル変換する、或いはデジタル信号をアナログ変換するアナログ／デジタル変換処理回路などが配置されている。これらアナログ系回路基板１４、ＤＶＤユニット１３、デジタル系回路基板１５を実装する前記筐体シャーシ１１は、その前面側に立設したシールド壁１１ａを筐体シャーシ１１と一体形成している。
【００２１】
前記筐体シャーシ１１の前面にはフロントキャビネット１６が配置され、このフロントキャビネット１６には、略中央に前記ＤＶＤユニット１３のディスクトレイ１３ａにＤＶＤディクス５０を装填する、或いはＤＶＤディスク５０を取り出す度に開閉するシャッター１９があり、その下方に図示しない操作スイッチを押圧する操作ボタン２０が配列されている。ＤＶＤディスク５０に記録された録画ファイルを再生する、再生を早送りする、或いは再生を停止するなどの視聴者による指示は、この操作ボタン２０の押下操作により前記操作スイッチを押圧して動作させるものである。また、前記シャッター１９と操作ボタン２０の左方側には電源スイッチ１７とリモコン受光部１８が配置され、視聴者の操作によるリモコン送信機５１の指示信号を受信するこのリモコン受光部１８の表面には透明の化粧板１６ａが配置されている。一方、前記シャッター１９の右方には略矩形の表示管２２が横長に配置され、表示管２２の表面には透明の化粧板１６ａが配置されている。また、前記筐体シャーシ１１の上方には筐体カバー１２が配置され、ＤＶＤ記録再生装置１０の背面と両側面からビス４０により前記筐体シャーシ１１に筐体カバー１２がビス締めされて固定される。
【００２２】
続いて図１により、ＤＶＤ記録再生装置のフロントキャビネットに分割された各操作用基板が収納配置された状態について説明する。図１はフロントキャビネット１６をＤＶＤ記録再生装置１０の内側から見た背面図であり、このフロントキャビネット１６は前記シャッター１９の可動アーム１９ａなどにより横方向に３つに仕切られている。仕切られたその左方側はＤＶＤ記録再生装置１０を正面から見たときには右方側に相当し、ここにはＤＶＤ記録再生装置１０のカウンター表示やモード表示、時刻表示などを行なう横長で略矩形の表示管２２（図５参照）が実装された表示管用基板３２が配置されている。また、仕切られた中央にはその上方にＤＶＤ記録再生装置１０にＤＶＤディスク５０を装填する、或いはＤＶＤディスク５０を取り出す度に開閉するシャッター１９が配置されている。また、このシャッター１９の下方には、図５で示した操作ボタン２０が配置されており、この操作ボタン２０の押下操作により押圧されて動作する図示しない操作スイッチが実装された操作用スイッチ基板３１が配置されている。さらに、前記シャッター１９の右方側には図５で示した電源スイッチ１７とリモコン受光部１８が実装されたリモコン受光部と電源スイッチ用基板３０が配置されている。このリモコン受光部と電源スイッチ用基板３０は、ＤＶＤ記録再生装置１０を図５により正面から見たときに左方側となる。これら表示管用基板３２と操作スイッチ用基板３１、及びリモコン受光部と電源スイッチ用基板３０は、各ケーブル引き出し部４１ａから引き出されたコネクタケーブル４１によって電気的に接続されている。また、表示管用基板３２のケーブル引き出し部４１ａからは図１で示したデジタル系回路基板１５とコネクタケーブル４１で接続される。
【００２３】
次に図２により、フロントキャビネットに表示管用基板を収納配置する概略構造について説明する。図２において、フロントキャビネット１６には表示管収納部３２ａの前面に透明な化粧板１６ａが配置されている。また、フロントキャビネット１６の背面側から表示管用基板３２が取り付けられており、ここには、コネクタケーブル４１を表示管用基板３２と接続する接続コネクタ４２が実装されている。この表示管用基板３２は傾斜を持たせて取り付けてあり、この表示管用基板３２に取り付けられる表示管２２の取り付け角度を少し上向きにして視聴者が視認し易いように配置してある。また、この表示管用基板３２の下端位置はフロントキャビネット１６の後端部からの距離Ｘが１０ミリの位置にあり、表示管３２の大きさに合わせてこの配置寸法が設定されている。
【００２４】
続いて図３により、フロントキャビネットに操作用スイッチ基板を収納配置する概略構造について説明する。図３において、フロントキャビネット１６の前面には上方に図１、及び、図５で示したＤＶＤディスク５０を装填する、或いはＤＶＤディスク５０を取り出す度に開閉するシャッター１９が配置されている。その下方には、図示しない操作ボタンと操作用スイッチが収納配置される操作ボタンと操作スイッチの収納部３１ａがある。操作用スイッチ基板３１はフロントキャビネット１６の背面側から取り付けられており、ここには、コネクタケーブル４１を操作用スイッチ基板３１と接続する接続コネクタ４２が実装されている。また、この操作用スイッチ基板３１の下端位置はフロントキャビネット１６の後端部からの距離Ｙが１５ミリの位置にあり、前記操作ボタンと操作用スイッチの大きさに合わせてこの配置寸法が設定されている。
【００２５】
次に図４により、フロントキャビネット１６にリモコン受光部と電源スイッチ用基板３０を収納配置する概略構造について説明する。図４において、フロントキャビネット１６にはリモコン受光部１８と電源スイッチ１７の収納部３０ａがあり、図示しないリモコン受光部１８の前面に透明な化粧板１６ａが配置されている。また、フロントキャビネット１６の背面側からリモコン受光部と電源スイッチ用基板３０が取り付けられており、ここには、図示しないコネクタケーブル４１をリモコン受光部と電源スイッチ用基板３０と接続する接続コネクタ４２（図示略）が実装される。また、このリモコン受光部と電源スイッチ用基板３０の下端位置はフロントキャビネット１６の後端部からの距離Ｚが１２ミリの位置にあり、前記リモコン受光部１８と電源スイッチ１７の大きさに合わせてこの配置寸法が設定されている。また、図１におけるｃ-ｃ断面図であるこの図４には、図３で説明したシャッター１９の開閉動作を可能とする可動アーム１９ａの一部が確認可能である。
【００２６】
以上のように実施例1によれば、本発明の操作用基板を備えた記録再生装置は、ＤＶＤ記録再生装置１０のフロントキャビネット１６内に機能ごとに分割されて収納配置される操作用基板３０、３１、３２は、そこに実装される図示しない操作用スイッチや表示管２２、リモコン受光部１８など部品の大きさが異なることにより操作用基板３０、３１、３２とフロントキャビネット１６の前面との距離は、これらの部品２２、１８の大きさに対応する距離を隔てて各操作用基板３０、３１、３２を配置している。図２から図４においてはフロントキャビネット１６の後端部からの距離がそれぞれＸ＝１０ミリ、Ｙ＝１５ミリ、Ｚ＝１２ミリであり、フロントキャビネット１６の前面からこれらの部品２２、１８の大きさに対応する距離を隔てて相互に段差状に配置した結果である。これにより、これらの部品２２、１８と各操作用基板３０、３１、３２との間には不要な隙間が生ずることもなく、且つフロントキャビネット１６の前面の所定位置に操作用スイッチを押下する操作ボタン２０、及び表示管２２やリモコン受光部１８を配置することが出来る。これにより、従来のように、これら図示しない操作用スイッチや表示管２２、リモコン受光部１８など大きさの異なる部品をフロントキャビネット１６の前面に揃えて１枚の操作用基板に実装するために、一番大きな部品である表示管用基板３２に合わせて前記操作用基板を後退配置すると、前記操作用スイッチやリモコン受光部１８などの小さな部品は前記操作用基板との間に隙間が生じてしまうこととなり、こうした時は、前記隙間に応じたスペーサを設けて調整するとか、隙間部が操作スイッチの収納部３１ａであればこの隙間にキー操作力伝達手段となる連動押圧子を設けるなどの対応が行われていたが、これらの方法ではスイッチの押圧機構が複雑な構成になってしまうといった問題は、前記１枚の操作用基板を機能ごとに分割し、分割された各操作用基板に実装される部品の大きさに対応して相互に段差状に配置することにより解消することが出来る。また、意匠ケースの高位操作面部と低位操作面部の段差形状や、ここに配置されるスペーサ、連動押圧子、及び液晶表示部を収納する液晶ホルダなどによる配置制約などから、液晶表示部や操作用スイッチが配置される位置の移動が困難となるといった構造設計上の問題も大幅に軽減することが出来る。同様にこれらの配置制約を軽減することが出来るので装置デザインの自由度も確保することが出来る。
【００２７】
また、各操作用基板３０、３１、３２は機能ごとに３枚に分割配置され、フロントキャビネット１６の前面と、筐体シャーシ１１の一部を延設して立設したシールド壁１１ａによって挟み込まれるように配置されることにより、各操作用基板３０、３１、３２に実装されるリモコン受光部１８が受光したパルス信号や、表示管２２からのによって生ずる各操作用基板３０、３１、３２間のノイズ干渉を防止することが可能となると共に、シールド壁１１ａでＤＶＤ記録再生装置１０内のメイン回路基板１４、１５やＤＶＤユニット１３と隔離されることにより、各操作用基板３０、３１、３２とＤＶＤ記録再生装置１０内のメイン回路基板１４、１５やＤＶＤユニット１３とのノイズや不要輻射の相互干渉を防止することが出来る。
【００２８】
前記操作用基板３０、３１、３２は少なくとも、リモコン受光部１８が実装されるリモコン受光部と電源スイッチ用基板３０と、操作用スイッチが実装される操作用スイッチ基板３１と、表示管２２が実装される表示管用基板３２とに分割されて配置されたことにより、分割された各操作用基板３０、３１、３２はその機能と操作性に適した角度で前記フロントキャビネット１６に配置することが出来るので、本実施例に示したように、視聴者が表示管２２に表示された内容を最適に視認可能な表示管用基板３２の取り付け角度とすることが出来る。この他にも、例えば、リモコン受光部と電源スイッチ用基板３０においてはＤＶＤ記録再生装置１０と視聴者が操作するリモコン送信機５１との位置関係を考慮しながらリモコン受光部１８の取り付け角度の基準となるリモコン受光部と電源スイッチ用基板３０の角度を変更するとか、操作用スイッチ基板３１においては、同様に操作ボタン２０を押下する操作性を考慮した操作用スイッチ基板３１の取り付け角度とするなど、各操作用基板３０、３１、３２に最適な取り付け角度に設定することが出来る。また、コネクタケーブル４１により各操作用基板３０、３１、３２は電気的に接続されるので、各操作基板３０、３１、３２は互いにコネクタケーブル４１によって電気的に接続されると共に、代表する何れかの操作用基板３０、３１、３２とＤＶＤ記録再生装置１０のメイン回路基板１５とは少なくとも１個のコネクタケーブル４１によって電気的に接続することが出来る。また、操作用スイッチ基板３１はＤＶＤディスク５０の挿脱口となるシャッター１９の下方または上方に配置することが出来るので、ＤＶＤディスク５０の挿脱時に表示管２２に表示される表示内容がＤＶＤディスク５０や挿脱動作を行う視聴者の手によって視界が遮られることはない。
【００２９】
また、リモコン受光部と電源スイッチ用基板３０と操作用スイッチ基板３１、表示管用基板３２に分割されたことにより、これら各基板３０、３１、３２間において前記リモコン受光部１８が受光したパルス信号や、表示管２２からのノイズの干渉を防止することが出来る。さらに、各操作用基板３０、３１、３２はシールド壁１１ａでＤＶＤ記録再生装置１０内のメイン回路基板１４、１５やＤＶＤユニット部１３と隔離されるので、ノイズや不要輻射の相互干渉を防止することが出来る。これらより、従来は組立作業の効率化や部品点数の削減を目的に操作用基板の分割配置は極力減らし、１枚の操作用基板に表示管２２やリモコン受光部１８、操作スイッチなどを配置することが多用されていたが、前述のとおり、これらノイズを発生し易い表示管２２やリモコン受光部１８の周囲にこの操作用基板の内部におけるノイズ対策が必要となる。或いは、ノイズを発生し易い１枚の操作用基板の周囲に、干渉の防止比較的ノイズ干渉の影響を受け易いメイン回路基板１４の電源回路部やＧＮＤ回路部が配置されるときは、前記１枚の操作用基板やメイン回路基板１４に対してノイズ対策が別途必要となるといった問題を回避することが出来る。
【実施例２】
【００３０】
次に、本発明における実施例２について説明する。本実施例２により表示部を備えた記録再生装置の一実施例としてＤＶＤユニットを内蔵したテレビについて説明する。
【００３１】
図６は本発明の実施例２を示すＤＶＤユニットを内蔵したテレビの概観を示す斜視図である。
【００３２】
図６に示すテレビ６０は、前面にフロントキャビネット６１を配置し、その前面には表示部６２が配置されている。表示部６２の下方には横方向に操作ボタン６６が配列され、その下方にはＤＶＤディスク５０を装填する、或いはＤＶＤディスクを取り出すときに開閉するシャッター６５が配置されている。また、前記操作ボタン６６が配列された左方側にはテレビ６０の電源をＯＮ／ＯＦＦさせる電源スイッチ６３と、リモコン送信機５１から送信される指示信号を受光するリモコン受光部６４が配置されている。このテレビ６０は、実施例１で詳述したＤＶＤ記録再生装置１０とは異なり、番組放送の受信映像やＤＶＤディスク５０に記録された録画ファイルの再生映像を表示する表示部６２を備えてあり、この表示部６２は前記映像表示の他に、テレビ６０の音量やチャンネルなどを文字表示する。及び、番組放送の録画設定操作を行うための文字表示機能を備えていることから、表示管２２は備えていない。
【００３３】
前記テレビ６０のフロントキャビネット６１には、実施例１で詳述したＤＶＤ記録再生装置１０と同様に、分割して前記操作ボタン６６の背面には図示しない操作用スイッチが実装された操作用スイッチ基板６８が収納配置されている。また、同様に、電源スイッチ６３とリモコン受光部６４が実装されたリモコン受光部と電源スイッチ用基板６７が収納配置されている。このリモコン受光部と電源スイッチ用基板６７と操作用スイッチ基板６８は、前記シャッター６５の図示しない可動アームなどによって仕切られている。また、テレビ６０には図示しない筐体シャーシを延設して立設したシールド壁を形成してあり、リモコン受光部と電源スイッチ用基板６７と操作用スイッチ基板６８は、フロントキャビネット６１の前面と、前記シールド壁によって挟み込まれるように配置される。
【００３４】
以上のように実施例２によれば、本発明の操作用基板を備えた記録再生装置は、ＤＶＤ記録再生装置１０に表示部６２を備えた、即ちＤＶＤユニット１３を内蔵したテレビ６０としたことにより、ＤＶＤディスク５０に記録された録画ファイルが再生されて該表示部６２に表示される再生映像を視聴することが出来るので、視聴者にとって利便性を向上させることが出来る。また、前記表示部６２を備えたことにより、表示管２２の配置は不要となったが、その他の基本的な構成は、概ね実施例１と同様としており、実施例１で得られた効果は本実施例においてもその概ねが継承される。
【００３５】
以上、本実施例を詳述したが、本発明の要旨の範囲内で種々の変形実施が可能である。例えば、ＤＶＤ記録再生装置１０やＤＶＤユニットを内蔵するテレビ６０に限定されず、ＨＤＤ、ＤＶＤとＨＤＤの複合機、ＤＶＤ−ＶＩＤＥＯなどの記録再生装置や、これらと表示装置との複合機であればよく、また、フロントキャビネット１６に収納配置される各操作用基板はリモコン受光と電源スイッチ用基板３０、操作用スイッチ基板３１、表示管用基板３２などに限定されず、記録再生装置の機能によって他の部品を実装した操作用基板でもよく、また、これら各操作用基板の配置はフロントキャビネット１６の前面と平行に縦型配置するだけでなく、記録再生装置の構造設計や視聴者による操作性を考慮して横型配置に変更するなど、適宜選定すればよい。
【図面の簡単な説明】
【００３６】
【図１】本発明の実施例１を示すＤＶＤ記録再生装置のフロントキャビネットに分割された各操作用基板が収納配置された状態を示す背面説明図である。
【図２】本発明におけるフロントキャビネットに表示管用基板が収納配置された状態を示すａ−ａ断面説明図である。
【図３】本発明におけるフロントキャビネットに操作用基板が収納配置された状態を示すｂ−ｂ断面説明図である。
【図４】本発明におけるフロントキャビネットにリモコン受光部と電源スイッチ用基板が収納配置された状態を示すｃ−ｃ断面説明図である。
【図５】本発明におけるＤＶＤ記録再生装置の概略構成を示す斜視説明図である。
【図６】本発明の実施例２を示すＤＶＤユニットを内蔵したテレビの概観を示す斜視説明図である。
【符号の説明】
【００３７】
１０        ＤＶＤ記録再生装置
１１        筐体シャーシ
１１ａ      シールド壁
１６        フロントキャビネット
１８        リモコン受光部
１９        シャッター
２０        操作ボタン
２２        表示管
３０        リモコン受光部と電源スイッチ用基板
３１        操作用スイッチ基板
３２        表示管用基板
４１        コネクタケーブル
５０        ＤＶＤディスク
６０        テレビ
６２        表示部
【図１】
2006237533.tif 000003
【図２】
2006237533.tif 000004
【図３】
2006237533.tif 000005
【図４】
2006237533.tif 000006
【図５】
2006237533.tif 000007
【図６】
2006237533.tif 000008